(57)【要約】【課題】  シャッターチャンスを逃すおそれを低減し使い勝手の良い情報処理装置を提供する。様々な状態において即座に撮影を開始し，撮影前の状態に応じた画面表示を行うことにより，利用価値の高い情報処理装置を提供する。【解決手段】  撮影対象を撮影するカメラ部と、撮影を指示する入力部と、撮影した画像を記憶するメモリ部と、を具備する情報処理装置において、撮影対象を撮影する動作モードである撮影モードと、通常の動作モードである非撮影モードとを有し、動作モードが前記非撮影モードである場合において、前記入力部から撮影が指示されたとき、撮影対象を撮影することを特徴とする情報処理装置。  【選択図】  図3
2005191991.tif 000002
【特許請求の範囲】
【請求項１】
撮影対象を撮影するカメラ部と、
撮影を指示する入力部と、
撮影した画像を記憶するメモリ部と、を具備する情報処理装置において、
撮影対象を撮影する動作モードである撮影モードと、通常の動作モードである非撮影モードとを有し、
動作モードが前記非撮影モードである場合において、前記入力部から撮影が指示されたとき、撮影対象を撮影することを特徴とする情報処理装置。
【請求項２】
撮影対象を撮影するカメラ部と、
撮影を指示する入力部と、
撮影した画像を記憶するメモリ部と、を具備する情報処理装置において、
電源がオフされている場合に前記入力部から撮影が指示されたとき、撮影対象を撮影することを特徴とする情報処理装置。
【請求項３】
請求項１記載の情報処理装置において、
前記非撮影モードは、通話又は通信を行うモードであることを特徴とする情報処理装置。
【請求項４】
請求項１又は２記載の情報処理装置において、
前記入力部は、複数の入力キーからなり、
前記複数の入力キーのうち、特定の入力キーを一定時間以上押し下げすることにより、又は複数の特定のキーを押し下げることにより、撮影対象を撮影することを特徴とする情報処理装置。
【請求項５】
請求項１から４の何れか記載の情報処理装置において、
前記情報処理装置は、携帯電話であることを特徴とする情報処理装置。
【請求項６】
撮影機能を搭載した端末において，任意のアプリケーションが起動している状態で，特定キーの長押し，或いは，特定キーの複数同時押しで，起動していたアプリケーションが終了し，撮影が開始されることを特徴とする撮影機能搭載端末。
【請求項７】
撮影機能を搭載した端末において，任意のアプリケーションが起動している状態で，特定キーの長押し，或いは，特定キーの複数同時押しで，起動していたアプリケーションが中断し，撮影が開始され，撮影が終了した後は，中断していたアプリケーションが復帰し，継続できることを特徴とする撮影機能搭載端末。
【請求項８】
撮影機能を搭載した端末において，電源が供給されていない状態で，特定キーの長押し，或いは，特定キーの複数同時押しで，電源が入り，かつ，撮影可能な内部状態に遷移し，その後自動的に撮影が開始されることを特徴とする撮影機能搭載端末。
【請求項９】
通信機能と撮影機能を搭載した端末において，通話中の状態で，特定キーの長押し，或いは，特定キーの複数同時押しで，通話を継続したまま，撮影が開始されることを特徴とする撮影機能搭載端末。
【請求項１０】
通信機能と撮影機能を搭載した端末において，通話中の状態で，特定キーの長押し，或いは，特定キーの複数同時押しで，通話相手に事前設定メッセージが流れ，通話が終了し，撮影が開始されることを特徴とする撮影機能搭載端末。
【請求項１１】
請求項１０記載の撮影機能搭載端末において，撮影中は着信を受け付けられない状態にあり，着信拒否マークが表示されることを特徴とする撮影機能搭載端末。
【請求項１２】
請求項６から請求項１１の何れか記載の撮影機能搭載端末において，電源が供給されていない状態や通話中などの撮影前の各々の状態に対して，撮影中の画面表示方法が設定してあり，撮影機能が実行される際には，上記，画面表示方法が決定されることを特徴とする撮影機能搭載端末。
【請求項１３】
請求項６から請求項１２の何れか記載の撮影機能搭載端末において，撮影機能として，動画の撮影，或いは，静止画の撮影などを含み，静止画の場合には複数毎の静止画を撮影することを特徴とする撮影機能搭載端末。
【発明の詳細な説明】
【技術分野】
【０００１】
本発明は，情報処理装置に関し、例えば、動画や静止画の撮影機能を搭載した携帯端末装置に関する。
【背景技術】
【０００２】
従来、撮影機能を搭載した携帯端末装置において、特定のキーを一定時間以上押し下げすることにより、通常の動作状態から撮影が可能な状態に遷移するものが提案されていた（例えば、特許文献１参照）。
【０００３】
【特許文献１】特開２００２−１４１９７８号公報（第３図）
【発明の開示】
【発明が解決しようとする課題】
【０００４】
しかしながら、上記特許文献１における携帯端末装置においては、撮影が可能な状態に遷移するための専用キーを長押ししても撮影が可能な状態に遷移するのみであり、撮影を開始するためにはさらに撮影開始に対応した専用キーを長押しする必要があり、撮影を開始するまでに２段階のステップを踏む必要があった。このため、少なくとも一つの画面状態を表示部で確認する必要があるとともに、撮影が開始されるまでに，少なくとも一つの内部状態を遷移する必要があり，シャッターチャンスを逃すおそれを低減できる携帯端末装置が望まれていた。
【０００５】
また、電源が入っていない状態からすぐに撮影を開始したい場合、通信・通話の状態からすぐに撮影を開始したい場合、アプリケーションが起動した状態からすぐに撮影を開始したい場合等については記載されておらず、上記と同様にシャッターチャンスを逃すおそれを低減できる携帯端末装置が望まれていた。
【０００６】
そこで、本発明は、シャッターチャンスを逃すおそれを低減し使い勝手の良い情報処理装置を提供することを目的とする。
【課題を解決するための手段】
【０００７】
上記課題を解決するため，本発明は、撮影対象を撮影するカメラ部と、撮影を指示する入力部と、撮影した画像を記憶するメモリ部と、を具備する情報処理装置において、撮影対象を撮影する動作モードである撮影モードと、通常の動作モードである非撮影モードとを有し、動作モードが前記非撮影モードである場合において、前記入力部から撮影が指示されたとき、撮影対象を撮影することを特徴とする。
【発明の効果】
【０００８】
本発明によれば、シャッターチャンスを逃すおそれを低減し使い勝手の良い情報処理装置を提供することが可能となる。
【発明を実施するための最良の形態】
【０００９】
まず、従来の情報処理装置における撮影時のブロック図，及び，フローチャートを，図1，及び，図2を用いて説明する。ここでは、撮影機能を搭載した携帯電話を例に説明する。
【００１０】
101は撮影開始，或いは，確定などを入力するキー入力部，102は撮影対象を撮影するカメラ部，103は撮像画面を表示する表示部，104は撮影後のデータを保持するためのメモリ部，105は端末内部状態の管理やキー押下時の制御などを行う制御部である。
【００１１】
まず，初期の状態としては，待ち受け画面などの初期画面が表示部103に表示してある状態から始まる（S101）。そこで，キー入力部101において撮影モードに対応したキーが押下された場合(S102)には，制御部105は，端末の内部状態を撮影モードに遷移し，カメラ部102から取り込んだ映像を表示部103に表示を行う(S103)。次に，カメラの起動やピント調整などの撮影に必要な撮影前の準備が行われる(S104)。この前準備は，操作者がキー入力部101を操作して行われても良いし，自動で行われても良い。次に，表示部103に表示されてある被写体を操作者が認識し，撮影したいものであれば，撮影に対応したキーが押下された場合には(S105)，撮影が開始される(S106)。被写体を認識する際には，所望の映像が表示されていない場合には，カメラ部102，或いは，端末そのものを移動させることにより，所望の被写体を表示部103に表示させるようにする。
【００１２】
このように従来の撮影機能端末では，最低でもS102とS105の２段階のステップを踏む必要があった。このため、キー入力部101の撮影モードに対応したキーを押し下げ、さらに撮影開始に対応したキーを押下する必要があり，キー数が多く必要であった。また，S105の撮影開始に対応したキー押下前には，カメラの起動時間等の撮影前準備(S104)を操作者が待つ必要があった。
【００１３】
さらに従来のフローチャートでは，突発的なシーンを撮影したい状況において，操作者がS105の撮影開始に対応したキーを直ぐに押下したい状況であるのに，S103やS104などのフローを経由する必要があるため，シャッターチャンスを逃す場合があった。
【００１４】
以上のように、従来は撮影対象を撮影する動作モードである撮影モードでない場合、即ち、通常の動作モードである非撮影モード（例えば、待ち受け状態にある場合、通信・通話を行うモードである場合、ゲーム等のアプリケーションを起動しているモードである場合など）においては、動作モードを撮影モードに切り替えてからでなければ撮影をすることができなかった。また、電源がオフされている場合には、電源をオンし、撮影モードに切り替えてからでなければ撮影をすることができなかった。
【００１５】
以下，図を参照しながら，本発明の実施例について詳しく説明する。
【００１６】
最近の撮影機能搭載端末ではゲーム機能やその他アプリケーションが搭載されており，シャッターチャンス時に，端末がそのような機能の状態の場合も少なくない。アプリケーションとは，端末特有の機能設定などでも良いし，メール機能でも良いし，WEB閲覧機能でも良いし、Java（登録商標）等のゲーム等でも良いし，音楽記録・再生機能でも良いし、アドレス帳の編集中でも良い。そこで，任意のアプリケーションが起動している状態に対応した本発明の第一の実施例について説明する。
【００１７】
本発明を実現するフローチャートを図4を用いて説明する。
【００１８】
まず，初期の状態としては，ゲームなどのアプリケーションが起動されており，前記アプリケーションの画面が表示部103に表示してある状態となっている（S401）。そこで，キー入力部101において撮影に対応したキーが押下された場合には(S402)，端末内部の処理部では，起動しているアプリケーションを強制的に終了させ，さらに，カメラの起動処理などの撮影前準備が行なわれる(S403)。ここでは，ゲームなどの場合は得点などを保存する処理を実行しても良いし，その他の同様の処理を行っても良い。その後，撮影が開始され (S404)，必要であればピントやホワイトバランスの調整などの撮影時調整が行われる(S405)。この調整は，操作者がキー入力部101を操作して行われても良いし，自動で行われても良い。
【００１９】
ここで，撮影に対応したキーとは，ある任意のキーを割り当てても良いし，複数のキーを同時に押下することを割り当てても良い。例えば，１キーと２キーの同時押下により本機能を実行するようにすると，バッグの中などでの誤動作を防ぐことができる。
【００２０】
このように，従来では，起動しているアプリケーションを専用キーにより終了させる必要があるのに対して，本発明では，S402において撮影開始に対応したキーを押下するのみで，起動しているアプリケーションの終了と保存と撮影の開始を同時に実効する事ができる。よって，任意のアプリケーションが起動している際の撮影開始において，キー操作が煩雑であると共に，シャッターチャンスを逃すという問題が解消できる。また操作者が押し易いような複数のキーを同時に押下することを本機能に割り当てることにより，バッグの中などでの誤動作を防ぐことも可能である。
【００２１】
第一の実施例においては，起動しているゲーム等のアプリケーションの内容を保存し，強制的に終了させたが，強制的に終了させるのではなく，カメラ撮影後に前記アプリケーションの継続を行うことが可能な本発明の第二の実施例について説明する。
【００２２】
本発明を実現するフローチャートを図5を用いて説明する。
【００２３】
まず，初期の状態としては，ゲームなどのアプリケーションが起動されており，前記アプリケーションの画面が表示部103に表示してある状態となっている（S501）。そこで，キー入力部101において撮影に対応したキーが押下された場合には(S502)，端末内部の処理部では，起動しているアプリケーションの状態がメモリ部104に保存，及び，強制的に終了させ，さらに，カメラの起動処理などの撮影前準備が行なわれる(S503)。その後，撮影が開始され (S504)，必要であればピントやホワイトバランスの調整などの撮影時調整が行われる(S505)。この調整は，操作者がキー入力部101を操作して行われても良いし，自動で行われても良い。その後，撮影が終了されると(S506)，メモリ部104に保存された内部状態が読み出され(S507)，S501にて起動されていたアプリケーションが再度起動される(S508)。
【００２４】
このように，任意のアプリケーションが起動している状況において，S502において撮影開始に対応したキーを押下するのみで，起動しているアプリケーションの中断と終了，及び，撮影の開始を同時に実効する事ができる。また，撮影終了時に，中断していたアプリケーションを再度起動させることにより，利便性の高い端末が提供できる。
【００２５】
撮影機能搭載端末保持時に，電源が入っていない状況下でシャッターチャンスを迎えてしまい，電源をONする操作やカメラ機能を起動する不要な時間などでシャッターチャンスを逃す場合も少なくない。そこで，電源が入っていない状況に対応した本発明の第三の実施例について説明する。
【００２６】
本発明を実現するフローチャートを図6を用いて説明する。
【００２７】
まず，初期の状態としては，端末に電源が供給されていない状態となっている（S601）。そこで，キー入力部101において撮影に対応したキーが押下された場合には(S602)，電源ONに対応する処理が実行され，その後，カメラの起動処理などの撮影前準備が行なわれる(S603)。その後のフローは図4と同様である。
【００２８】
本発明により，電源をONする手間が省け，キー操作が煩雑であると共に，シャッターチャンスを逃すという問題が解消できる。
【００２９】
通信機能を搭載した撮影機能端末において，オンフック等での通話中の状態で，シャッターチャンスを迎えてしまい，カメラ機能を起動できずにシャッターチャンスを逃す場合も少なくない。そこで，通話中に，通話機能を継続しつつ，撮影機能を実現する本発明の第四の実施例について説明する。
【００３０】
本発明を実現するブロック図，及び，フローチャートを，図7，及び，図8で示す。
【００３１】
図7において，700は送受信アンテナ，701は送受信データと無線信号を変換する無線部，702は送受信データを音声信号に変換する符号復号処理部，703はマイク，704はレシーバ，705は撮影後のデータを保持するためのメモリ部，706は端末内部状態の管理やキー押下時の制御などを行う制御部，707は撮像画面などを表示する表示部，708はキー入力部，709はカメラ部を示している。
【００３２】
まず，初期の状態としては，オンフックなどで通話を行っている状態となっている（S801）。そこで，キー入力部708において撮影に対応したキーが押下された場合には(S802)，通話を行っている機能は継続しつつ，カメラの起動処理などの撮影前準備が行なわれる(S803)。その後，音声抑止モードなどで撮影が開始され (S804)，必要であればピントやホワイトバランスの調整などの撮影時調整が行われる(S805)。この調整は，操作者がキー入力部101を操作して行われても良いし，自動で行われても良い。
【００３３】
本発明により，オンフック等での通話中の状態で，シャッターチャンスを迎えてしまい，カメラ機能を起動できずにシャッターチャンスを逃すという問題が解消できる。
【００３４】
第四の実施例において，オンフックではない通常の通話時において，シャッターチャンスを迎えてしまい，表示部を見ることができずに，カメラ機能を起動できずに，通話を継続してしまい，シャッターチャンスを逃す場合も少なくない。そこで，通話を強制に終了させ，ある特定のメッセージを通話相手先に自動的に送付される機能を実現する本発明の第五実施例について説明する。
【００３５】
本発明の説明には，第四の実際例の説明で用いた，図7，及び，図8を用いる。
【００３６】
初期の状態としては，オンフックではなく，表示部も見ることができない状態となっている（S801）。そこで，キー入力部708において撮影に対応したキーが押下された場合には(S802)，メモリ部705に格納されている通話相手先へのメッセージが相手に送付され，通話は強制的に終了される。ここで，通話相手先へのメッセージとは，『ただ今急用が出来たため電話を切ってしまいました。後ほどお掛け致します。』などでも良い。その後，カメラの起動処理などの撮影前準備が行なわれ(S803)，撮影が開始される(S804)。このとき，必要であればピントやホワイトバランスの調整などの撮影時調整が行われる(S805)。この調整は，操作者がキー入力部101を操作して行われても良いし，自動で行われても良い。
【００３７】
本操作では，電話機機能としての通話処理を操作者がキャンセルしたものと見なせるので，以後の着信は受け付けないように，内部状態を設定しても良い。その場合には，着信拒否マークの表示や，撮影時の表示部の枠の周りを赤などの通常とは異なる色を適応する事により，操作者に着信ができない状態であることを明示的に把握できるようにしても良い。このように表示することにより，操作者が着信拒否状態であることを忘れて，撮影し過ぎる事を防ぐことが可能である。
【００３８】
着信拒否状態を，着信可能な状態に遷移するには，撮影中に，電源キーを押下しても良いし，保存に対応したキーを押下しても良いし，キャンセルキーなどを押下しても良いし，もし端末が折りたたみ可能で開いて撮影していた場合には，筐体を閉じる操作を行っても良い。
【００３９】
本発明により，通話中にシャッターチャンスを迎えてしまい，カメラ機能を起動できずにシャッターチャンスを逃すという問題が解消でき，かつ，急に通話を強制的に終了し，通話相手に不快感を与えないような配慮を考慮した端末が提供できる。また，着信拒否マークなどを表示する事により，操作者が，着信拒否の状態であることを容易に把握できるような端末が提供できる。
【００４０】
上記説明して来た機能においては，ゲーム中や通話中，メール作成中に，撮影開始に対応したキーを押下することにより撮影が開始される。すると，操作者は撮影前の状態を把握できず，撮影機能が修了した際の戻り先が不明となることが予想される。そこで，起動前の状態に応じて，枠などの色を変更する本発明の第六の実施例について説明する。
【００４１】
本発明の説明には，第四の実際例の説明で用いた，図7，及び，図3を用いる。図7において，上述で説明したものに加えて，メモリ部705は赤色や青色などの枠データを保持している。また，表示部707が赤色や青色などの枠を表示するモードを保持しても良い。さらに，制御部706は端末内部状態の管理やそれに対応した色の管理，キー押下時の制御などを行う。それ以外は，上述の図7の説明と同様である。
【００４２】
初期の状態として，電源OFFの状態や，メール作成作成状態や，ゲーム中の状態や，通話の状態などがある(S301)。それ以外でも，例えば，日付設定時や，撮影する静止画のモードを変更している状態などでも良い。そこで，キー入力部708において撮影に対応したキーが押下された場合には(S302)，起動前の状態に応じた画面表示変更処理が行われる(S303)。まず，撮影前の状態に応じた遷移として，起動前の状態の判定が行われる(S304)。例えば，”電源OFF”の場合には(S305)，撮影時の枠の色を黒色に設定する(S306)。この時，制御部706は，メモリ部705から黒色の枠データを読み出して表示しても良いし，表示部707に黒色モードで枠を描画するように表示しても良い。同様に，起動前の状態が”メール作成”の場合，”ゲーム”の場合，”通話”の場合において，それぞれの表示枠の色は，緑色，青色，黄色となる。
【００４３】
その後，カメラの起動処理などの撮影前準備が行なわれ(S307)，撮影が開始される(S308)。撮影開始マークなどの表示を行い(S309)，操作者に実際に撮影が開始された事が明確に分かるようにしても良い。その後，必要であればピントやホワイトバランスの調整などの撮影時調整が行われる(S310)。この調整は，操作者がキー入力部101を操作して行われても良いし，自動で行われても良い。調整を自動で行う場合には，図面では記載していないが，調整終了後のマークを表示するようにしても良い。
【００４４】
また，起動前の状態に応じた画面表示変更処理(S303)は，撮影前準備(S307)に含まれても良いし，撮影開始(S308)後で撮影時調整(S310)前に行われても良いし，撮影開始マーク表示(S309)と同時期でも良いし，撮影時調整(S310)が終了した後の数秒後に行われても良い。
【００４５】
本発明により，操作者は撮影時の枠の色を見るだけで，撮影前の状態を把握でき，撮影機能が修了した際の戻り先を予測することができる。また，前実施例で説明したように，撮影前が通話中であり，通話を強制的に終了した場合は，枠の色を黄色などの目立つ色などにすることにより，着信拒否の状態と容易に分かることができる。
【００４６】
以上説明して来た撮影機能としては，動画の撮影を対象としても良いし，或いは，静止画の撮影を対象としても良いし，或いは，録音などを対象としても良い。
【００４７】
動画を撮影の対象とする場合には，撮影開始に対応したキーが押下された際に，時系列に連続した画像データをカメラから取り込みメモリ部に保存して行く。上記したように撮影が開始された後にピントやホワイトバランスの調整を行うので，ピントがあっていない動画データが先頭に来る場合がある。その場合には，撮影終了後に必要な動画部分のみを切り取ることにより解決できる。
【００４８】
静止画を撮影の対象とする場合には，撮影開始に対応したキーが押下された際に，数秒程度，数百msに一枚の静止画を撮影する。動画の場合と同様に，最初の静止画データはピントが合っていない可能性がありえるが，複数毎撮影するので，必要な物のみを保持するようにする。
【図面の簡単な説明】
【００４９】
【図１】従来の撮影機能搭載端末の構成図。
【図２】従来の撮影機能のフロー図。
【図３】起動前の状態に応じた画面表示を変更する機能を実現するフロー図。
【図４】アプリケーション起動時の撮影機能を実現するフロー図。
【図５】アプリケーション起動時の撮影機能（復帰機能）を実現するフロー図。
【図６】電源OFF時の撮影機能を実現するフロー図。
【図７】通話機能を持つ，撮影機能搭載端末の構成図。
【図８】通話の撮影機能を実現するフロー図。
【符号の説明】
【００５０】
700…送受信アンテナ， 701…無線部， 702…符号復号処理部， 703…マイク， 704…レシーバ， 104，705…メモリ部， 105，706…制御部， 103，707…表示部， 101，708…キー入力部， 102，709…カメラ部。
【図１】
2005191991.tif 000003
【図２】
2005191991.tif 000004
【図３】
2005191991.tif 000005
【図４】
2005191991.tif 000006
【図５】
2005191991.tif 000007
【図６】
2005191991.tif 000008
【図７】
2005191991.tif 000009
【図８】
2005191991.tif 000010